(57)【要約】【課題】本発明は、録画した番組のうち任意の部分から再生可能な録画端末に対し、放送局がＣＭ広告を視聴する視聴者数の減少懸念して、部分視聴を支援する番組構成情報を保有していたとしてもこれを視聴者に提供されにくいという問題を解決するものである。【解決手段】この課題を解決するために本発明は、録画した番組の視聴手段とは独立したＣＭ広告視聴手段をユーザに提供して、録画番組視聴以前にＣＭ広告を視聴した視聴者にのみ部分視聴を支援する情報を提供することを可能としている。【選択図】図１
2005191617.tif 000002
【特許請求の範囲】
【請求項１】
通信回線を介してユーザの視聴履歴に応じた番組サービスを提供する情報サーバと、前記情報サーバと通信可能なテレビジョン放送の録画装置とを備えた事前部分視聴装置であって、
前記情報サーバは、
前記録画装置から受信した前記予約情報に応じた広告を前記録画装置に通知する広告情報送出手段と、
前記録画装置から受信した広告視聴履歴に応じた番組サービスを前記録画装置に提供する番組サービス送出手段とを含み、
前記録画装置は、
録画予約情報を前記情報サーバに通知する録画予約情報送出手段と、
前記録画予約情報に応じた広告情報を取得する広告取得手段と、
ユーザが選択した広告を提示する広告提示手段部と、
ユーザの広告視聴履歴を前記情報サーバに通知する広告視聴履歴送出手段と、
前記情報サーバから広告視聴履歴に応じた番組サービスを取得する外部機器通信手段と、
ユーザが番組を視聴する際に前記番組サービスを呼び出して実行するサービス実行手段とを含むことを特徴とした事前部分視聴装置。
【請求項２】
通信回線を介してユーザの視聴履歴に応じた番組サービスを提供する情報サーバと、前記のサーバと通信可能なテレビジョン放送の録画装置とを備えた事前部分視聴装置における事前部分視聴方法であって、
前記録画装置が録画予約情報を情報サーバに通知して広告情報を取得する広告情報取得ステップと、
ユーザが視聴が広告を視聴するとその視聴履歴を保存する広告視聴履歴保存ステップと、
前記録画装置の広告視聴履歴を情報サーバに通知して対応する番組サービスを取得する再生／編集プログラム取得ステップと、を含むことを特徴とする事前部分視聴方法。
【請求項３】
ユーザの録画予約命令に応じて、前記録画装置が録画予約を行う録画予約ステップと、
録画装置が指定の番組録画する番組録画ステップと、
ユーザが録画番組に関して、再生／編集プログラムを実行する再生／編集ステップと、をさらに含むことを特徴とする請求項２記載の事前部分視聴方法。
【発明の詳細な説明】
【技術分野】
【０００１】
本発明はデジタル放送システム、特にデジタル放送をハードディスクなどの記憶媒体に録画し、録画した内の一部を視聴する装置及びその方法に関するものである。
【背景技術】
【０００２】
近年、ＨＤＤレコーダなどの記憶媒体にデジタル放送番組を録画しておき、ユーザの要求に応じて視聴することが一般的となっており、インターネット等を介して宅内にあるＨＤＤレコーダに番組の録画予約を指示するための番組予約録画代行サービスなどが開始されている。このような技術は特許文献１に記載されている。
【０００３】
また、ＨＤＤはランダムアクセス可能であるため、タイムコード等を用いて再生開始位置を指定することで所定の箇所から再生を開始することが可能である。任意の位置から再生を開始するための再生開始位置指定は、従来は番組を録画した本人が番組を視聴しながら映像編集アプリケーションを用いて作成することが一般的であり、番組を放送している放送局から番組構成情報が提供されないのが通常であった。
【特許文献１】特開２００２−７８７３号公報
【発明の開示】
【発明が解決しようとする課題】
【０００４】
視聴者が録画した番組から任意の部分のみ視聴することは、番組提供会社つまり広告料を支払って番組の合間にＣＭ（コマーシャル）を放送している会社にとって、ＣＭ広告の視聴低下に繋がることが容易に想像できる。このような視聴方法は番組提供会社、ひいては放送局にとって不都合である。従って、放送局は部分視聴を支援する番組構成情報を保有していたとしても、これが視聴者に提供されることは少なかった。
【０００５】
本発明は上記課題を鑑みて考案されたものである。
【課題を解決するための手段】
【０００６】
この課題を解決するために本発明の事前部分視聴方法における番組情報保持サーバ１００は予約情報受付部１０１、広告情報送出部１０２、番組情報保持部１０３、再生／編集プログラム送出部１０４を有し、番組予約録画装置１１６は録画予約情報送出部１０５、広告情報取得部１０６、広告視聴履歴送出部１０７、広告視聴情報保持部１０８、広告閲覧部１０９、録画予約情報保持部１１０、外部機器通信部１１１、再生／編集プログラム保持部１１２、番組受信部１１３、番組保持部１１４、再生／編集部１１５を備えることで、録画した番組の視聴手段とは独立したＣＭ広告視聴手段をユーザに提供して、録画番組視聴以前にＣＭ広告を視聴した視聴者にのみ部分視聴を支援する情報を提供することを可能としている。
【０００７】
本発明は、通信回線を介してユーザの視聴履歴に応じた番組サービスを提供する情報サーバと、前記情報サーバと通信可能なテレビジョン放送の録画装置とを備えた事前部分視聴装置を提供し、前記情報サーバは、前記録画装置から受信した前記予約情報に応じた広告を前記録画装置に通知する広告情報送出手段と、前記録画装置から受信した広告視聴履歴に応じた番組サービスを前記録画装置に提供する番組サービス送出手段とを含み、前記録画装置は、録画予約情報を前記情報サーバに通知する録画予約情報送出手段と、前記録画予約情報に応じた広告情報を取得する広告取得手段と、ユーザが選択した広告を提示する広告提示手段部と、ユーザの広告視聴履歴を前記情報サーバに通知する広告視聴履歴送出手段と、前記情報サーバから広告視聴履歴に応じた番組サービスを取得する外部機器通信手段と、ユーザが番組を視聴する際に前記番組サービスを呼び出して実行するサービス実行手段とを含むことを特徴とする。
【０００８】
本発明はまた、通信回線を介してユーザの視聴履歴に応じた番組サービスを提供する情報サーバと、前記のサーバと通信可能なテレビジョン放送の録画装置とを備えた事前部分視聴装置における事前部分視聴方法を提供し、前記録画装置が録画予約情報を情報サーバに通知して広告情報を取得する広告情報取得ステップと、ユーザが視聴が広告を視聴するとその視聴履歴を保存する広告視聴履歴保存ステップと、前記録画装置の広告視聴履歴を情報サーバに通知して対応する番組サービスを取得する再生／編集プログラム取得ステップと、を含むことを特徴とする。
【０００９】
本発明の一つの実施の形態において、前記事前部分視聴方法は、ユーザの録画予約命令に応じて、前記録画装置が録画予約を行う録画予約ステップと、録画装置が指定の番組録画する番組録画ステップと、ユーザが録画番組に関して、再生／編集プログラムを実行する再生／編集ステップと、をさらに含む。
【００１０】
本発明はまた、上述の方法を実行するためのプログラム、およびこれを記録した記録媒体を包含する。
【発明の効果】
【００１１】
以上のように本発明により、視聴者は録画した番組視聴以前にＣＭ広告を視聴することで、番組再生時に番組を部分視聴したり、番組編集時に簡易に番組の一部を抽出したりすることが可能となる。また、番組提供者はより確実にＣＭ広告を視聴してもらうことができる。これにより、番組提供社および視聴者双方に利点のある番組視聴方式を提供できる効果がある。
【発明を実施するための最良の形態】
【００１２】
以下、本発明の実施の形態について、説明する。
【００１３】
（実施の形態１）
以下、本発明の実施の形態１の事前部分視聴方法について図面を参照して説明する。
【００１４】
図１は、本発明の実施の形態１における事前部分視聴方法にて用いる事前部分視聴装置の構成の一例を示す機能ブロック図である。
【００１５】
以上のように構成された事前部分視聴装置を用いた事前部分視聴サービスの実施の形態について、その動作を図面を用いて具体的に説明する。
【００１６】
ここで、事前部分視聴サービスとは、ユーザ任意にもしくは番組予約録画端末が自動的に選択してＨＤＤレコーダ等の番組予約録画端末に録画予約される番組ついて、実際に視聴を行う時刻より以前に番組の一部、本実施の形態では提供会社のＣＭを番組視聴以外の方法で予め視聴しておき、再生時には視聴済みの提供会社のＣＭ部分を飛ばして再生することが出来るサービスである。また、従来ユーザが映像編集アプリケーションを使って、すでに視聴済みの提供会社のＣＭ部分を取り除いたり、番組内の必要な部分だけを抽出したりといった番組再編集を行っているが、これを支援することが出来るサービスでもある。
【００１７】
図２は、図１記載の番組情報保持部１０３が保持している広告情報のデータの一例を示す図である。番組情報保持部１０３は広告情報の他に番組構成情報（後述）および編集プログラム情報（後述）を保持している。
【００１８】
広告情報には、番組毎に、「番組名」、「放送時刻」、番組の「提供会社名」、対象ＣＭの「商品名」、提供会社の広告の「ＵＲＬ」等が記載されている。
【００１９】
通常のテレビ番組において、ＣＭは番組本編の前後や番組の合間に放送される。本発明では、番組内のＣＭを録画番組再生時に視聴する代わりに録画番組再生前に提供会社の指定したＵＲＬにアクセスしてＣＭと同等内容のＷＥＢコンテンツの広告を視聴することで、録画番組再生時には既に視聴した提供会社のＣＭを飛ばして再生するという事前部分視聴サービスの実施の形態を可能としている。
【００２０】
広告情報の「番組名」「放送時刻」は番組を特定するために必要なデータである。「提供会社名」は当該番組に広告料を支払ってＣＭを放送している会社名であり、１つの番組につき複数存在してもよい。なお、提供会社の特定の商品のみを広告する場合や、提供会社名以上に商品名が世間に知られている場合には、商品名を提示した方がユーザが広告を選択しやすいため、ＣＭ対象の「商品名」を広告情報に追加しているが、この情報は必須ではない。「ＵＲＬ」はユーザからの広告視聴要求があった場合にアクセスされる広告のアドレスであり、ユーザはこのアドレスにアクセスすることでＷＥＢコンテンツの広告を視聴可能である。
【００２１】
まず、広告情報登録処理について説明する。番組内のＣＭを録画番組再生時に視聴する代わりに録画番組再生前に提供番組のＷＥＢコンテンツの広告を視聴させることを望む番組の提供会社は、ＷＥＢコンテンツの広告を作成し、ユーザにアクセスしてもらいたい広告ＵＲＬを番組情報保持サーバ１００に登録する。番組情報保持サーバは当該番組提供会社の広告情報に、登録されたＵＲＬを追加する。
【００２２】
広告情報２０１は、番組名が「世界紀行」であり放送時刻が「２００３年１０月１日の１９：００〜２０：００」である番組の提供会社が「提供会社Ａ」および「提供会社Ｂ」および「提供会社Ｃ」であることを示している。「提供会社Ａ」は「世界紀行」番組内のＣＭを視聴する代わりに「ＨＴＴＰ：／／ｗｗｗ．ｔｅｉｋｙｏｕ＿ａ．ｃｏｍ」というＵＲＬに置かれた「シェーバー」という商品の広告についてユーザへの視聴を要求していることを示している。「提供会社Ｂ」は「世界紀行」番組内のＣＭを視聴する代わりに「ＨＴＴＰ：／／ｗｗｗ．ｔｅｉｋｙｏｕ＿ｂ．ｃｏｍ」というＵＲＬに置かれた広告についてユーザへの視聴を要求していることを示している。「提供会社Ｃ」は「世界紀行」番組内のＣＭを視聴する代わりに「ＨＴＴＰ：／／ｗｗｗ．ｔｅｉｋｙｏｕ＿ｃ．ｃｏｍ／ｄｏｍｅｓｔｉｃ」というＵＲＬに置かれた「国内旅行」という商品の広告、もしくは「ＨＴＴＰ：／／ｗｗｗ．ｔｅｉｋｙｏｕ＿ｃ．ｃｏｍ／ａｂｒｏａｄ」というＵＲＬに置かれた「海外旅行」という商品の広告についてユーザへの視聴を要求していることを示している。図２の例のように、１つの提供会社が複数のＵＲＬを広告情報として登録しておき、ユーザが嗜好にあわせて広告を視聴できてもよい。また、ＷＥＢコンテンツの広告は必ずしも番組内で放送されるＣＭと同等の商品に関するものでなくてもよい。
【００２３】
次に、録画予約処理について説明する。番組予約録画装置１１６はユーザからの録画予約命令（図示せず）を受け付けるか、もしくは番組予約録画装置１１６が自動的に判断（図示せず）して、特定の番組を録画予約する。番組の予約録画、録画番組の自動選択および予約録画番組の録画処理動作の詳細に関しては、ＨＤＤレコーダ等の汎用機器に搭載されて一般的に知られている機能であり、また本発明の主眼ではないので省略する。
【００２４】
図３は録画予約情報保持部１１０が保持する録画予約情報のデータの一例を示す図である。録画予約情報として、「番組名」、「放送チャンネル」、「放送時刻」、予約の「状態」、「録画予約受付時間」が保存されている。予約情報３０１は、番組名が「世界紀行」で放送チャンネルが「１０」で放送時刻が「２００３年１０月１日の１９：００〜２０：００」の番組が「２００３年９月２４日の２３：４８」に「録画予約」されたことを示している。
【００２５】
次に、広告情報取得処理について説明する。番組予約録画装置１１６は録画予約情報を番組情報保持サーバ１００に通知して、その番組に対応する広告情報を取得する。
【００２６】
図４は番組予約録画装置１１６における広告情報取得のフローチャートを示す図である。録画予約情報送出部１０５は予約録画命令の発生を検知し（Ｓ４０１）、番組情報保持サーバ１００に送信していない録画予約情報があれば、録画予約情報の通知先を取得し（Ｓ４０２）、番組情報保持サーバ１００の予約情報受付部１０１に送信する（Ｓ４０３）。本実施の形態では、番組情報保持サーバ１００は放送局ごとに設置することとしているため、放送局と録画予約情報の通知先との対応関係を番組予約録画端末１１６に保持しておき、番組に対応する番組情報保持サーバ１００に録画予約情報を通知する。広告情報取得部１０６は番組情報保持サーバ１００の広告情報送出部１０２から広告情報を取得し（Ｓ４０４）、広告情報を広告視聴情報保持部１０８に格納する（Ｓ４０５）。
【００２７】
図５は予約情報受付部１０１に送信される予約情報のデータの一例を示す図である。本実施の形態では、番組情報保持サーバ１００は放送局ごとに設置することとしているため、番組名もしくは放送時刻によって、予約録画がなされた番組を特定することが出来る。本実施の形態では、番組名と放送時刻の両方を予約情報として送信するものとする。なお、放送局ごとに番組情報保持サーバ１００を設置せず１つのサーバにてすべての放送局の番組情報を保持してもよい。その場合は、番組名と放送時刻だけでは番組が特定できない可能性があるため、録画予約情報に放送チャンネル等を追加する必要がある。なお本実施の形態では、録画予約命令の発生を検知して、録画予約情報の通知処理を行っているが、一定時間ごとに録画予約情報の変更の有無を調べて、変更があれば録画予約情報の通知処理を行ったり、ユーザの録画予約情報通知命令によって通知処理を行ったりしてもよい。
【００２８】
図６は番組情報保持サーバ１００における広告情報送出のフローチャートである。予約情報受付部１０１は番組予約録画装置１１６からの予約情報の受信を監視し（Ｓ６０１）、予約情報があれば、受信した予約情報を広告情報送出部１０２に受け渡す。広告情報送出部１０２は、番組情報保持部１０３のデータを元に、予約情報から番組を特定して対応する広告情報を取得し（Ｓ６０２）、広告情報を番組予約録画装置１１６に送出する（Ｓ６０３）。
【００２９】
なお、本実施の形態では同一の番組については全国で統一の広告情報を送出することとしているが、放送の形態により、地域ごとに同一番組に関する提供会社や放送するＣＭが異なる場合がある。このような場合には、広告情報に「地域コード」の項目を追加して地域別に広告情報を保持しておき、番組予約録画端末から予約情報を受信する際には、予約情報とともに番組予約録画装置の設置されている地域コード等を取得し、当該地域の広告情報を送出すればよい。
【００３０】
ここで、新しく録画予約命令が発生してから、広告情報が広告視聴情報保持部１０８に格納されるまでの流れを、図の例を用いて説明する。
【００３１】
ユーザの予約録画処理もしくは番組予約録画装置１１６の録画番組選択処理により、番組名が「アジア旅行」で放送チャンネルが「１０」、放送時刻が「２００３年１０月３日１２：００〜１３：００」の番組が録画予約されると、録画予約情報保持部１１０に録画予約情報が追加される。
【００３２】
図７は、図３の録画予約情報に上述の番組の録画予約情報が追加された場合の録画予約情報保持部１１０の録画予約情報のデータの一例を示す図である。
【００３３】
録画予約情報送出部１０５は、放送チャンネル「１０」に対応する録画予約情報通知先を取得し、対応する番組情報保持サーバ１００に録画予約情報である番組名「アジアの旅」と放送時間「２００３年１０月３日１２：００〜１３：００」を通知する。
【００３４】
図５の録画予約情報５０１は番組情報保持サーバ１００に通知される録画予約情報５０１である。番組情報保持サーバ１００の予約情報受付部１０１は番組予約録画端末１１６から受信した録画予約情報５０１を広告情報送出部１０２に受け渡す。広告情報送出部１０２は番組名「アジアの旅」と放送時刻「２００３年１０月３日１２：００〜１３：００」から、番組情報保持部１０３に保持されている広告情報の「アジアの旅」に関する録画予約情報であることを特定し、当該番組の広告情報である「提供会社Ｆ」および「提供会社Ｇ」に関する広告情報を取得する。
【００３５】
図８の広告情報８０１は番組情報保持部１０３から抽出され、広告情報送出部１０２から番組予約録画装置１１６に送出される広告情報のデータの一例を示す図である。
【００３６】
図９は広告視聴情報保持部１０８が保持している番組視聴情報の一例を示す図である。広告視聴情報には、番組を特定するための「番組名」、「放送チャンネル」、「放送時刻」、また現在の予約状況を示す「予約状態」、それに加えて、番組情報保持サーバ１００から取得した番組に対応する広告情報である「提供会社名」、ＣＭの「商品名」、ＣＭの代わりにユーザに閲覧して欲しい広告の「ＵＲＬ」、さらにユーザの広告視聴履歴であるＵＲＬの「視聴回数」および「情報更新フラグ」がある。「情報更新フラグ」は視聴履歴情報が更新されているか否かを示すフラグである。当該番組の視聴履歴、本実施の形態では「視聴回数」が変更した場合にこの値が「１」となり、広告視聴履歴が番組情報保持サーバ１００に送出されるとこの値が「０」となるため、この値を参照することにより番組情報保持サーバに送出していない広告視聴履歴の有無を判定することが出来る。
【００３７】
広告情報取得部１０６が図８に示す広告情報８０１を取得することにより、広告視聴情報９０１が追加されている。追加された時点では広告の「ＵＲＬ」は視聴されていない状態であるので、視聴回数には「０」が格納されている。
【００３８】
以上が予約録画命令が発生してから、広告情報が広告視聴情報保持部１０８に格納されるまでの流れである。
【００３９】
次に、ユーザが広告を視聴する際の広告視聴処理について説明する。
【００４０】
広告閲覧部１０９は、広告視聴情保持部のデータを元に、ユーザに視聴する広告を選択させるための「広告視聴選択画面」を作成してユーザに提示する。「広告視聴選択画面」提示はユーザの要求に応じて行っても良いし、番組情報保持サーバ１００から広告情報が送られてくることで広告視聴情報保持部１０８の情報が変更された場合に行っても良いし、一定の間隔で行っても良い。
【００４１】
図１０は広告視聴選択画面のサービスイメージの一例を示す図である。本実施の形態ではユーザが広告を選択しやすくするために、広告視聴を指示するための「見る」ボタン１００１だけでなく、その広告に対応する「番組名」「放送チャンネル」「放送時刻」および「提供会社名」「商品名」情報を併せて提示している。ここに提示している情報は、広告視聴情報保持部１０８の「番組名」「放送チャンネル」「放送時刻」「提供会社名」「商品名」から取得したものである。ユーザはリモコン上下キーを操作して「広告選択ボタン」の中から視聴したい広告を選択し、リモコンの決定ボタンを押下することにより視聴したい広告を決定することが出来る。「見る」ボタン１００１が現在フォーカスのあたっているボタンである。
【００４２】
「もう一度見る」ボタン１００２は、既に一度視聴された広告情報である。広告視聴情報の「視聴回数」が０回の広告については「見る」と書かれたボタン、１回以上の広告については「もう一度見る」と書かれたボタンを配置することにより、視聴者はまだ見ていない広告を容易に知ることが出来る。
【００４３】
「見る」ボタン１００１には対応する提供会社の広告のＵＲＬである「ＨＴＴＰ：／／ｗｗｗ．ｔｅｉｋｙｏｕ＿ａ．ｃｏｍ」が関連付けられており、「見る」ボタン１００１選択時にリモコンの決定キーを押下すると対応する提供会社の商品である「提供会社Ａ」の「シェーバー」を広告するためのＷＥＢコンテンツが表示される。すなわち、「見る」ボタン１００１が押下されると、番組予約録画端末１１６はこのボタンに対応付けがなされたＵＲＬが「ＨＴＴＰ：／／ｗｗｗ．ｔｅｉｋｙｏｕ＿ａ．ｃｏｍ」であるアドレスに接続し、ＨＴＭＬ文書等のＷＥＢコンテンツを取得して提示する。ボタン押下によるＷＥＢコンテンツの表示はＢＳデジタル放送のデータ放送サービス等で一般的に知られている機能であり、また本発明の主眼ではないので省略する。
【００４４】
ユーザが提供会社の広告と対応付けられたＷＥＢコンテンツを視聴すると、広告視聴情報保持部１０８の「視聴回数」が１つ増加する。また、「情報更新フラグ」の値が「０」であればこれを「１」に変更する。なお本実施の形態では広告を視聴した祭には視聴回数のみを広告視聴履歴として保持されているが視聴していた時間、ページ数などの履歴を保存してもよいし、提供会社に利益のある特定動作を行ったか否かの判定結果を履歴として保存してもよい。ここで提供会社に利益のある特定の動作とは、提供会社が広告のＵＲＬにあるＷＥＢコンテンツにてユーザへのアンケートを実施したりＷＥＢコンテンツから広告商品の購入を可能としていた場合に、ユーザがアンケートに回答したり商品購入を行うといった動作を指す。
【００４５】
なお本実施の形態ではユーザに対して番組と広告との対応関係を明示し、広告に接続するためのＵＲＬ入力操作を省くために広告視聴選択画面を番組予約録画装置１１６にて自動生成しているが、広告視聴選択画面は必ずしも必要ではなく、ユーザがＵＲＬを直接入力して広告を視聴したり、広告視聴を支援するためのＷＥＢコンテンツにアクセスしてそこから視聴したい広告を選択したりしても良い。
【００４６】
次に広告視聴履歴送出処理および再生／編集処理について説明する。
【００４７】
図１１は録画した番組をユーザが再生もしくは編集する際の番組予約録画装置１１６の処理の流れを示したフローチャートである。ユーザから録画した番組の再生もしくは編集命令を受けると（Ｓ１１０１）、再生／編集部１１５は番組保持情報サーバからの再生／編集プログラム取得の要否を判定する（Ｓ１１０２）。具体的には、当該番組が過去に一度も再生もしくは編集されていない場合および前回再生もしくは編集された後に広告視聴履歴が更新された場合、すなわち「情報更新フラグ」が「１」の場合に、再生／編集プログラム取得が必要と判定し、それ以外の場合には不要と判定する。再生／編集プログラム取得が必要と判定した場合には、広告視聴履歴保持部に格納されている当該番組の広告視聴履歴を番組情報保持サーバ１００に通知し（Ｓ１１０３）、外部機器通信部１１１は番組情報保持サーバ１００から再生／編集プログラムを取得して「情報更新フラグ」の値を「０」に戻し（Ｓ１１０４）、再生／編集プログラム保持部１１２に格納する（Ｓ１１０５）。
【００４８】
再生／編集プログラム保持部１１２に格納した後、もしくは再生／編集プログラムの取得が不要と判定した場合には、ユーザからの命令が再生命令であるか否かを判定し（Ｓ１１０６）、再生命令であれば再生／編集プログラム保持部１１２から当該番組の再生プログラムを抽出してユーザに提示する（Ｓ１１０７）。ユーザがどのような再生方法選択するかを受信して（Ｓ１１０８）、ユーザが再生プログラム選択した場合には選択された再生プログラムを実行する（Ｓ１１０９）。ユーザが通常の再生を選択した場合には、従来の録画予約番組の再生と同様の方法で再生を行う（Ｓ１１１０）。
【００４９】
ユーザからの命令が再生命令でない場合には編集命令であるか否かを判定し（Ｓ１１１１）、編集命令であれば再生／編集プログラム保持部１１２から当該番組の編集プログラムを抽出してユーザに提示する（Ｓ１１１２）。ユーザがどのような編集方法選択するかを受信して（Ｓ１１１３）、ユーザが編集プログラム選択した場合には選択された編集プログラムを実行する（Ｓ１１１４）。ユーザが通常の編集を選択した場合には、番組の映像を編集するための編集アプリケーションを起動する（Ｓ１１１５）。
【００５０】
図１２は番組情報保持サーバ１００における再生／編集プログラム送出処理の流れを示すフローチャートである。再生／編集プログラム送出部１０４は番組予約録画装置１１６からの広告視聴履歴を受信すると（Ｓ１２０１）番組情報保持部１０３から対応する番組を特定して番組情報を取得し（Ｓ１２０２）、ユーザ広告視聴履歴に見合った全ての再生／編集プログラムを抽出した再生／編集プログラム配布リスト作成し（Ｓ１２０３）、番組予約録画装置１１６には再生／編集プログラム配布リストに記載された全ての再生プログラムおよび編集プログラムを送出する（Ｓ１２０４）。
【００５１】
ここで、再生／編集プログラムについて詳しく説明する。
【００５２】
本実施の形態において再生プログラムとは、録画予約して番組保持部１１４に保持されている番組に対して、部分再生（番組の一部分だけを再生）やスキップ再生（番組の一部分だけを飛ばして再生）、さらには複数の部分再生やスキップ再生を組み合わせて連続して実施するための再生方法を指定したプログラムである。
【００５３】
本実施の形態において編集プログラムとは、録画予約して番組保持部１１４に保持されている番組に対して通常はユーザが編集アプリケーション等を用いて手作業にて行う作業、具体的には番組の特定の映像部分だけを抽出したり、タイトルを付けたりする作業を自動的に行うプラグラムである。録画した番組について、番組の特定の映像部分だけを抽出したり、抽出した映像同士をつなぎ合わせたり、特定のフォーマットに変換したりといった複数の作業工程を手続き型言語等を用いて１つの編集プログラムとして実行することにより、目的に合った編集映像を容易に作成することが出来る。
【００５４】
以下、再生／編集プログラム配布リスト作成処理について説明する。
【００５５】
図１３は番組構成情報の一例を示す図である。１つの番組は放送内容に応じて複数のコーナーに区切ることができ、またこの１つ１つのコーナーは放送開始時点からの相対時間を用いて表現することができるため、「放送開始位置」「放送終了位置」、ＣＭか番組本編かの「区分」、提供会社名もしくはコーナー名を示す「放送内容」によって、番組の構成を表現することが出来る。図１３は「世界紀行」番組の番組構成情報である。放送開始時刻から３分間は「提供会社Ａ」「提供会社Ｂ」「提供会社Ｃ」のＣＭが各１分間ずつ放送され、その後番組本編の「オープニング」が７分間、「プーケット」に関する映像が４分間放送され、その後「提供会社Ａ」のＣＭが１分間放送され、その後「プーケット」に関する映像が１０分間放送されることを示している。
【００５６】
図１４は番組情報保持部１０３に保持されている編集プログラム情報のデータの一例を示す図である。編成した映像に付与する「タイトル」、「編集プログラム名」とどのような条件を満たしたユーザにこの編集プログラムを配布するかという「配布条件」および編集プログラムの実体（図示せず）が格納されている。編成プログラム情報は番組ごとに存在する。
【００５７】
編集プログラム１４０１は「提供会社Ａ」の広告ＵＲＬを視聴し、かつ「提供会社Ｂ」の広告ＵＲＬを視聴し、かつ「提供会社Ｃ」の広告ＵＲＬを視聴したユーザに「世界紀行−ダイジェスト版」という編集プログラムを配布し、ユーザがその編集プログラムを使用して「世界紀行」番組の編集を行った場合には、そのタイトルに「世界紀行〜ダイジェスト版〜」という名前が付与されることを示している。
【００５８】
図１５は再生／編集プログラム配布リスト生成処理の流れを示すフローチャートである。再生／編集プログラム送出部１０４は、対象となる番組の番組情報から「提供会社名」「ＵＲＬ」を取得し（Ｓ１５０１）、番組予約録画端末１１６から取得した広告視聴履歴と照らし合わせることでユーザが視聴済みである「提供会社名」を特定する（Ｓ１５０２）。その後対象となる番組の番組構成情報を取得し（Ｓ１５０３）、番組のコーナー数だけ以下の処理を繰り返す。番組の各コーナーについてコーナー情報を取得し（Ｓ１５０５）、区分が番組か否かを判定し（Ｓ１５０６）、番組でなければＣＭであると判定する。ＣＭであった場合には、そのＣＭがすでに視聴済みの「提供会社名」であるか否かを判定する（Ｓ１５０７）。区分が番組であった場合とＣＭが既に視聴済みの「提供会社名」でなかった場合には、そのコーナーを再生対象リストに追加する（Ｓ１５０８）。全てのコーナーについて再生対象リストへの追加判定処理が終了した後、再生対象リストのコーナーを全てつなげて再生するようなプログラムを作成し（Ｓ１５１１）、再生プログラムを再生／編集プログラム配布リストに追加する（Ｓ１５１２）。その後対象となる番組の編集プログラム情報を取得し（Ｓ１５１３）、編集プログラム数だけ以下の処理を繰り返す。各編集プログラムについて編集プログラム情報を取得し（Ｓ１５１５）、配布条件を満たすか否かを判定し（Ｓ１５１６）、配布条件を満たせば編集プログラムを再生／編集プログラム配布リストに追加する（Ｓ１５１７）。全ての編集プログラムについて、再生／編集プログラム配布リストへ追加するか否かの判定処理が終了した後、終了する。
【００５９】
ここで、ユーザが広告を視聴した後に録画番組の再生命令を行い、再生／編集プログラムが再生／編集プログラム保持部１１２に格納されるまでの流れを、図の例を用いて説明する。
【００６０】
ユーザが「世界紀行」番組の再生を指示すると、広告視聴履歴送出部１０７は当該番組の「情報更新フラグ」を参照し、「１」であるため番組情報保持サーバに当該番組の広告視聴履歴を通知する。
【００６１】
図１６の広告視聴履歴１６０１は番組情報保持サーバ通知される広告視聴履歴の一例を示した図である。
【００６２】
再生／編集プログラム送出部１０４は広告視聴履歴１６０１を受信し、番組情報で番組名が「世界紀行」であり放送時刻が「２００３年１０月１日１９：００〜２０：００」である番組を検索して、ユーザからの受信がどの番組の広告視聴履歴であるかを特定した後、再生／編集プログラム配布リストの作成を開始する。
【００６３】
再生／編集プログラム送出部１０４は、対象となる番組「世界紀行」の広告「ＵＲＬ」と広告視聴履歴１６０１と照らし合わせることで、「提供会社Ｂ」および「提供会社Ｃ」の広告をユーザが視聴済みであることが分かる。その後対象となる番組「世界紀行」の番組構成情報を取得し、先頭のコーナーから順次、再生対象リストへの追加判定を行う。
【００６４】
判定処理の結果、「１」「４」「５」「６」「７」「８」「１０」「１１」「１３」「１４」「１７」番目のコーナーが再生対象リストに追加され、これらを繋げて再生するプログラムが生成され、再生プログラムを再生／編集プログラム配布リストに追加される。その後対象となる番組「世界紀行」の編集プログラム情報を取得し、編集プログラム数だけ再生／編集プログラム配布リストへの追加判定を行う。
【００６５】
「世界紀行〜ダイジェスト版〜」の配布条件は「提供会社Ａ」かつ「提供会社Ｂ」かつ「提供会社Ｃ」を視聴することであるが、ユーザは「提供会社Ｂ」および「提供会社Ｃ」を視聴しているのみであるので配布条件は満たしていないと判定し、編集プログラム「世界紀行−ダイジェスト版」は再生／編集プログラム配布リストに追加されない。
【００６６】
「プーケット紀行」の配布条件は「提供会社Ａ」もしくは「提供会社Ｂ」を視聴することであるが、ユーザは「提供会社Ｂ」および「提供会社Ｃ」を視聴しているので配布条件を満たしている判定し、編集プログラム「世界紀行−プーケット紀行」が再生／編集プログラム配布リストに追加される。
【００６７】
これにより、「１」「４」「５」「６」「７」「８」「１０」「１１」「１３」「１４」「１７」番目のコーナーを繋げて再生する再生プログラムと編集プログラム「世界紀行−プーケット紀行」が番組予約録画端末１１６に送信される。
【００６８】
上記のように作成された再生／編集プログラムが番組予約録画端末１１６に送信され、ユーザに利用される。
【００６９】
なお、本実施の形態では再生プログラムを自動生成しており、また編集プログラムは予め複数作成しておき配布条件に見合ったものを送出することとしているが、再生プログラムも予め複数作成しておき配布条件見合ったもののみ送出しても良いし、編集プログラムを自動生成しても良い。
【００７０】
なお、本実施の形態では再生／編集処理の直前に広告視聴履歴送出処理を実行しているが、再生／編集処理が行われるより以前に予め広告視聴履歴送出処理を行っておいても良い。
【００７１】
なお、録画処理については、ＨＤＤレコーダ等の汎用機器における一般的な機能であるため説明を省略しているが、再生／編集処理を行うためには、それ以前に録画処理が実行されている必要がある。
【００７２】
以下、送信された再生プログラムおよび編集プログラムをユーザが使用した場合の動作について説明する。
【００７３】
図１７は番組保持部１１４に保持されている録画番組１７０１のイメージ図である。ユーザにて従来の再生方法が指定された場合は録画番組１７０１の先頭である番組開始位置「００：００：００」、すなわち「提供会社ＡのＣＭ」の先頭から番組の再生が始まり、番組開始位置「０１：００：００」、すなわちエンディングの最後まで再生したのち終了する。
【００７４】
図１８は再生プログラムを選択した場合の録画番組１７０１の再生イメージ図である。ユーザは既に「提供会社Ｂ」および「提供会社Ｃ」の広告を視聴しているため、再生プログラムによる再生を行った場合には、録画番組は「提供会社Ｂ」および「提供会社Ｃ」のＣＭ部分が飛ばして再生される。すなわち、番組開始位置「００：００：００」から「００：０１：００」まで再生され、その直後に、「００：０３：００」から「００：２９：００」までが再生され、その直後に「００：３０：００」から「００：４４：００」までが再生され、その直後に「００：４５：００」から「００：５５：００」までが再生され、その直後に「００：５７：００」から「０１：００：００」までが再生されて終了する。
【００７５】
図１９は編集プログラムにて「世界紀行−プーケット紀行」が選択された場合に録画番組１７０１から作成されるプーケット紀行１９０１なる番組編集映像のイメージ図である。プーケットに関する映像である番組開始位置「００：１０：００〜００：１４：００」および「００：１５：００〜００：２５：００」のみを抽出した映像に「プーケット紀行」というタイトルが付与され（図示せず）て生成される。
【００７６】
図２０はここまでに説明した事前部分視聴サービスの全体構成を示した図である。事前部分視聴サービスを実現するための各処理と各処理に関するユーザ、番組予約録画装置、番組情報保持サーバ、提供会社の動作概要を示している。
【００７７】
事前部分視聴サービスを実現するため、広告情報登録処理２００１、録画予約処理２００２、広告情報取得処理２００３、広告視聴処理２００４、番組録画処理２００５、広告視聴履歴送出処理２００６、再生／編集処理２００７がなされることを示している。
【００７８】
広告情報登録処理２００１は提供会社がＷＥＢコンテンツの広告を作成した後、そのＵＲＬを番組情報保持サーバに登録し、番組情報保持サーバがそのＵＲＬを広告情報として追加する処理であることを示している。
【００７９】
録画予約処理２００２は、ユーザの録画予約命令に応じて、番組予約録画装置１１６が録画予約を行う処理であることを示している。
【００８０】
広告情報取得処理２００３は、番組予約録画装置１１６が録画予約情報を番組情報保持サーバ１００に通知して、その番組に対応する広告情報を取得して保存する処理であることを示している。
【００８１】
広告視聴処理２００４は、ユーザが広告を選択すると番組予約録画装置１１６がＷＥＢコンテンツにアクセスして選択された広告を提示し、ユーザがＷＥＢコンテンツを視聴すると番組予約録画装置が広告視聴履歴を保存する処理であることを示している。
【００８２】
番組録画処理２００５は、指定された番組の録画時間になると、番組予約録画装置１１６が番組の受信を開始し、録画する処理であることを示している。
【００８３】
広告視聴履歴送出処理２００６は番組予約録画装置１１６が番組視聴履歴を番組情報保持サーバ１００に送出し、番組情報保持サーバ１００から対応する再生／編集プログラムを取得して保存する処理であることを示している。
【００８４】
再生／編集処理２００７はユーザが録画番組に関して、再生／編集プログラムを選択すると、番組予約録画装置１１６が再生／編集プログラムを実行する処理であることを示している。
【００８５】
本実施の形態では、事前部分視聴サービスを実現するために、広告情報登録処理、録画予約処理、広告情報取得処理、広告視聴処理、番組録画処理、広告視聴履歴送出処理、再生／編集処理の順で処理を行ったが、実施はこの順序で行わなくても良い。
【００８６】
広告情報登録処理、録画予約処理、広告情報取得処理が完了した後から再生編集処理がなされるまでの間、広告視聴処理、広告視聴履歴送出処理がどのような順序で何度行われても良い。
【００８７】
なお、実施の形態では、広告視聴履歴情報を番組情報保持サーバ１００に送出し、番組情報保持サーバ１００が視聴履歴に見合った再生／編集プログラムを自動生成したり、配布条件に見合ったプログラムのみを配信したりしているが、再生／編集プログラムを自動生成可能な番組構成などの情報を番組予約録画装置１１６が取得して、番組予約録画装置１１６にて広告視聴履歴に見合った再生／編集プログラムを自動生成しても良い。この際、再生／編集プログラムを自動生成可能な番組構成などの情報は録画番組とともにデータ放送として放送しておけば、番組の再生および編集時に番組情報保持サーバと通信することなく再生／編集プログラムを取得可能である。
【００８８】
なお、本実施の形態では、事前部分視聴サービスの例として、番組内ＣＭに代わって提供会社のＣＭ広告を視聴することとしているが、本発明は前述のサービスに限定されるものではない。例えば、番組本編の一部をその放送内容を記載したＷＥＢコンテンツにて視聴し、録画番組再生時にはＷＥＢコンテンツにて視聴していない部分の映像のみ再生するといったサービス形態にも応用できる。より具体的な例を挙げて説明すると、野球番組を録画予約したユーザが録画番組再生以前に１〜５イニングの放送内容についてはＷＥＢコンテンツにて結果を視聴し、６イニング目以降は録画した番組にて視聴したり、料理番組を録画予約したユーザが出演者の紹介や材料の紹介に関する放送内容についてはＷＥＢコンテンツにて視聴し、作り方のみ録画した番組にて視聴するといったサービス形態にも応用可能である。
【００８９】
（実施の形態２）
以下、本発明の実施の形態２の事前部分視聴方法について図面を参照して説明する。
【００９０】
図２１は、本発明の実施の形態２における事前部分視聴方法にて用いる事前部分視聴装置の構成の一例を示す機能ブロック図である。
【００９１】
以上のように構成された事前部分視聴装置を用いた事前部分視聴サービスの実施の形態について、その動作を実施の形態１との相違点を中心に説明する。
【００９２】
ここで、事前部分視聴サービスとは、ユーザ任意にもしくは番組予約録画装置が自動的に選択してＨＤＤレコーダ等の番組予約録画装置に録画予約される番組ついて、実際に視聴を行う時刻より以前に番組の一部、本実施の形態では提供会社のＣＭを番組視聴以外の方法で予め視聴しておき、再生時には視聴済みの提供会社のＣＭ部分を飛ばして再生することが出来るサービスである。また、従来ユーザが映像編集アプリケーションを使って、すでに視聴済みの提供会社のＣＭ部分を取り除いたり、番組内の必要な部分だけを抽出したりといった番組再編集を行っているが、これを支援することが出来るサービスでもある。実施の形態１との相違点は、番組予約録画装置の機能を番組予約端末２１１７と番組録画端末２１１８とに機能分散を行っている点である。実施の形態１では、番組予約録画装置が宅内の決められた場所に設置されている場合、決められた場所でしか録画予約処理および事前部分視聴を行うことが出来ないが、番組予約端末２１１７と番組録画端末２１１８とに機能を分散し番組録画端末２１１８は宅内に設置して番組予約端末２１１７の持ち出しを可能にすることで、宅外等で録画予約処理および事前部分視聴を行うことが出来る。もちろん、実施の形態２においても、番組録画端末２１１８における録画予約処理や事前部分視聴を実施してよい。
【００９３】
図２は、図２１記載の番組情報保持部が保持している広告情報のデータの一例を示す図である。広告情報は実施の形態１と同様であるため、説明を省略する。
【００９４】
広告情報登録処理については、実施の形態１と同様であるため、説明を省略する。
【００９５】
次に、録画予約処理について説明する。実施の形態２においては、録画予約処理は番組予約端末２１１７および番組録画端末２１１８にて行うことが出来る。番組予約録画装置は番組予約端末２１１７および番組録画端末２１１８を介してユーザからの録画予約命令（図示せず）を受け付けるか、もしくは番組予約端末２１１７および番組録画端末２１１８が自動的に判断（図示せず）して、特定の番組を録画予約する。番組の録画予約、録画番組の自動選択および録画予約番組の録画処理動作の詳細に関しては、ＨＤＤレコーダ等の汎用機器に搭載されて一般的に知られている機能であり、また本発明の主眼ではないので省略する。
【００９６】
図３は録画予約情報保持部２１１０が保持する録画予約情報のデータの一例を示す図である。録画予約情報は実施の形態１と同様であるため、説明を省略する。
【００９７】
図２２は番組予約端末２１１７から録画予約処理を行う場合の広告情報の広告情報取得のフローチャートを示す図である。録画予約情報送出部２１０５は録画予約命令の発生を検知し（Ｓ２２０１）、番組情報保持サーバ２１００に送信していない録画予約情報があれば、録画予約情報の通知先を取得し（Ｓ２２０２）、録画予約情報と番組録画端末情報を番組情報保持サーバ２１００の予約情報受付部２１０１に送信する（Ｓ２２０３）。本実施の形態では、番組情報保持サーバ２１００は放送局ごとに設置することとしているため、放送局と録画予約情報の通知先との対応関係を番組予約録画装置に保持しておき、番組に対応する番組情報保持サーバ２１００に録画予約情報を通知する。広告情報取得部２１０６は番組情報保持サーバ２１００の広告情報送出部２１０２から広告情報を取得し（Ｓ２２０４）、広告情報を広告視聴情報保持部２１０８に格納する（Ｓ２２０５）。
【００９８】
図２３は番組録画端末情報のデータの一例を示す図である。ここで番組録画端末情報２３０１とは、番組録画端末２１１８への接続するための情報である。実施の形態２では番組予約端末２１１７と番組録画端末２１１８は物理的に分離されているため、番組予約端末２１１７にて録画予約処理が行われた場合には、番組情報保持サーバ２１００経由で番組録画端末２１１８に録画予約が指示される（処理の詳細は後述）ため、録画予約情報の送信先である番組録画端末２１１８を特定し、録画予約情報を送信するために番組録画端末２１１８への接続するための情報が必要となる。本実施の形態では、「ＩＰアドレス」と「ポート番号」を指定することで、番組録画端末２１１８を特定して接続することとしているが、実施の形態はこれに限られる必要はない。例えば、電子メール受信機能を備えた番組録画端末２１１８においては、メールアドレスを指定して電子メールにて録画予約情報を送ってもよい。
【００９９】
図２４は番組録画端末２１１８から録画予約処理を行う場合の広告情報の広告情報取得のフローチャートを示す図である。予約番組情報送出部は録画予約命令の発生を検知し（Ｓ２４０１）、番組情報保持サーバ２１００に送信していない録画予約情報があれば、録画予約情報の通知先を取得し（Ｓ２４０２）、録画予約情報と番組予約端末情報を番組情報保持サーバ２１００の予約情報受付部２１０１に送信する（Ｓ２４０３）。
【０１００】
図２５は番組予約端末情報の一例を示す図である。ここで番組予約端末情報２５０１とは、番組予約端末２１１７への接続するための情報である。実施の形態２では番組予約端末２１１７と番組録画端末２１１８は物理的に分離されているため、番組録画端末２１１８にて録画予約処理が行われた場合には、番組情報保持サーバ２１００経由で番組予約端末２１１７に広告情報が送信される（処理の詳細は後述）ため、広告情報の送信先である番組予約端末２１１７を特定し、広告情報を送信するために番組予約端末２１１７への接続するための情報が必要となる。本実施の形態では、「ＩＰアドレス」と「ポート番号」を指定することで、番組予約端末２１１７を特定して接続することとしているが、実施の形態はこれに限られる必要はない。
【０１０１】
図５は予約情報受付部２１０１に送信される予約情報のデータの一例を示す図である。予約情報は実施の形態１と同様であるため、説明を省略する。
【０１０２】
図２６は番組情報保持サーバ２１００における広告情報送出のフローチャートである。予約情報受付部２１０１は番組予約録画装置２１１６からの予約情報の受信を監視し（Ｓ２６０１）、予約情報があれば、受信した予約情報を広告情報送出部２１０２に受け渡す。広告情報送出部２１０２は、番組情報保持部のデータを元に、予約情報から番組を特定して対応する広告情報を取得し（Ｓ２６０２）、広告情報を番組予約端末２１１７に送出する（Ｓ２６０３）。その後、録画予約情報が番組予約端末２１１７から受信したか否かを判定し（Ｓ２６０４）、番組予約端末２１１７から受信であれば録画予約情報を番組録画端末２１１８に送出する（Ｓ２６０５）。
【０１０３】
なお、本実施の形態では録画予約情報の番組録画端末２１１８への送出処理（Ｓ２６０５）は広告情報送出後に行われているが、録画予約情報を受信（Ｓ２６０１）後のどのタイミングでなされても構わない。
【０１０４】
図３は録画予約情報保持部２１１０が保持する録画予約情報の一例を示す図である。録画予約情報は実施の形態１と同様であるため、説明を省略する。
【０１０５】
ここで、番組予約端末２１１７にて新しく録画予約命令が発生してから、広告情報が広告視聴情報保持部２１０８に格納され、録画端末にて録画予約がなされるまでの流れを、図の例を用いて説明する。
【０１０６】
番組予約端末２１１７にてユーザの録画予約処理もしくは番組予約端末２１１７の録画番組選択動作により、番組名が「アジア旅行」で放送チャンネルが「１０」、放送時刻が「２００３年１０月３日１２：００〜１３：００」の番組が録画予約されると、録画予約情報送出部２１０５は、放送チャンネル「１０」に対応する録画予約情報通知先を取得し、対応する番組情報保持サーバ２１００に録画予約情報である番組名「アジアの旅」と放送時間「２００３年１０月３日１２：００〜１３：００」および番組録画端末情報２３０１を通知する。
【０１０７】
図５の録画予約情報５０１は番組情報保持サーバ２１００に通知される録画予約情報５０１である。番組情報保持サーバ２１００の予約情報受付部２１０１は番組予約録画装置から受信した録画予約情報５０１を広告情報送出部２１０２に受け渡す。広告情報送出部２１０２は番組名「アジアの旅」と放送時刻「２００３年１０月３日１２：００〜１３：００」から、番組情報保持部のどの番組に関する録画予約情報であるかを特定し、番組情報保持部の番組情報から当該番組の広告情報を取得する。
【０１０８】
図８の広告情報８０１は広告情報送出部２１０２から番組予約録画端末に送出される広告情報のデータの一例を示す図である。
【０１０９】
図９は広告視聴情報保持部２１０８が保持している番組視聴情報の一例を示す図である。番組視聴情報は実施の形態１と同様であるため、説明を省略する。
【０１１０】
広告情報取得部２１０６は図８に示す広告情報８０１を取得することで図９に示す広告視聴情報９０１が追加される。
【０１１１】
予約情報受付部２１０１はその後、録画予約情報の受信元が番組予約端末２１１７であるため、録画予約情報を番組録画端末２１１８に送出し、当該番組の録画予約を指示する。
【０１１２】
図７は、図３の録画予約情報に上述の番組の録画予約情報が追加された場合の録画予約情報保持部２１１０の録画予約情報のデータの一例を示す図である。
【０１１３】
以上が番組予約端末２１１７にて録画予約命令が発生してから、広告情報が広告視聴情報保持部２１０８に格納され、予約情報が録画予約情報保持部２１１０に格納されるまでの流れである。
【０１１４】
ここで、番組録画端末２１１８にて新しく録画予約命令が発生してから、録画予約がなされ、広告情報が広告視聴情報保持部２１０８に格納されるまでの流れを、図の例を用いて説明する。
【０１１５】
番組録画端末２１１８にてユーザの録画予約処理もしくは番組録画端末２１１８の録画番組選択動作により、番組名が「アジア旅行」で放送チャンネルが「１０」、放送時刻が「２００３年１０月３日１２：００〜１３：００」の番組が録画予約されると、録画予約情報保持部２１１０に録画予約情報が追加される。
【０１１６】
図７は、図３の録画予約情報に上述の番組の録画予約情報が追加された場合の録画予約情報保持部２１１０の録画予約情報のデータの一例を示す図である。
【０１１７】
その後、外部機器通信部２１１１は、放送チャンネル「１０」に対応する録画予約情報通知先を取得し、対応する番組情報保持サーバ２１００に録画予約情報である番組名「アジアの旅」と放送時間「２００３年１０月３日１２：００〜１３：００」および番組予約端末情報２５０１を通知する。
【０１１８】
図５の録画予約情報５０１は番組情報保持サーバ２１００に通知される録画予約情報５０１である。番組情報保持サーバ２１００の予約情報受付部２１０１は番組予約録画装置から受信した録画予約情報５０１を広告情報送出部２１０２に受け渡す。広告情報送出部２１０２は番組名「アジアの旅」と放送時刻「２００３年１０月３日１２：００〜１３：００」から、番組情報保持部のどの番組に関する録画予約情報であるかを特定し、番組情報保持部の番組情報から当該番組の広告情報を取得する。
【０１１９】
図８の広告情報８０１は広告情報送出部２１０２から番組予約録画端末に送出される広告情報のデータの一例を示す図である。
【０１２０】
図９は広告視聴情報保持部２１０８が保持している番組視聴情報の一例を示す図である。広告視聴情報は実施の形態１と同様であるため、説明を省略する。
【０１２１】
広告情報取得部２１０６は図８に示す広告情報８０１を取得することで図９に示す広告視聴情報９０１が追加される。
【０１２２】
予約情報受付部２１０１は、録画予約情報の受信元が番組録画端末２１１８であるため、処理を終了する。
【０１２３】
以上が番組録画端末２１１８にて録画予約命令が発生してから、広告情報が広告視聴情報保持部２１０８に格納され、予約情報が録画予約情報保持部２１１０に格納されるまでの流れである。
【０１２４】
次に、番組予約端末２１１７にてユーザが広告を視聴する際の処理については実施の形態１と同様であるため説明を省略する。
【０１２５】
次に、番組情報保持サーバ２１００への広告視聴履歴送出処理ついて説明する。実施の形態２では番組予約端末２１１７と番組録画端末２１１８は物理的に分離されているため、ユーザが録画した番組を再生もしくは編集する以前に広告視聴履歴を番組情報保持サーバ２１００に通知し、番組情報保持サーバ２１００が再生／編集プログラムを番組録画端末２１１８に送出する。
【０１２６】
図２７は番組情報保持サーバ２１００における再生／編集プログラム送出処理の流れを示すフローチャートである。再生／編集プログラム送出部２１０４は番組予約端末２１１７からの広告視聴履歴と番組録画端末情報２３０１の受信を監視し（Ｓ２７０１）、受信すると番組情報保持部から対応する番組を特定して番組情報を取得し（Ｓ２７０２）、ユーザ広告視聴履歴に見合った全ての再生／編集プログラムを抽出した再生／編集プログラム配布リスト作成し（Ｓ２７０３）、番組予約録画端末には再生／編集プログラム配布リストに記載された全ての再生プログラムおよび編集プログラムを指定された番組録画端末２１１８に送出する（Ｓ２７０４）。
【０１２７】
再生／編集プログラム配布リスト作成処理については実施の形態１と同様であるため説明を省略する。
【０１２８】
再生／編集プログラムについては実施の形態１と同様であるので説明を省略する。
【０１２９】
次に録画した番組をユーザが再生もしくは編集する際の再生／編集処理について説明する。なお、録画処理については、ＨＤＤレコーダ等の汎用機器における一般的な機能であるため説明を省略しているが、再生／編集処理を行うためには、それ以前に録画処理が実行されている必要がある。
【０１３０】
ユーザから再生プログラムの実行要求があった場合には、番組録画端末２１１８は再生／編集プログラム保持部２１１２から当該番組の再生プログラムを抽出してユーザに提示し、ユーザ選択した再生プログラムを実行する。
【０１３１】
ユーザから編集プログラムの実行要求があった場合には、番組録画端末２１１８は再生／編集プログラム保持部２１１２から当該番組の編集プログラムを抽出してユーザに提示し、ユーザが選択した編集プログラムを実行する。
【０１３２】
ここで、ユーザが広告を視聴した後に録画番組の再生命令を行い、再生／編集プログラムが再生／編集プログラム保持部２１１２に格納されるまでの流れを、図の例を用いて説明する。
【０１３３】
ユーザが「世界紀行」番組の再生を指示し、さらに事前部分視聴型再生と通常再生という再生モードのうち事前部分視聴再生が選択されると、予め番組情報保持サーバ２１００から受信していた再生プログラムが呼び出され、実行される。
【０１３４】
図１８は再生プログラムを選択した場合の録画番組の再生イメージ図である。実施の形態１と同様であるため説明を省略する。
【０１３５】
ユーザが「世界紀行」番組の編集を指示すると、再生／編集部２１１５は再生／編集プログラム保持部２１１２から当該番組の編集プログラムである「世界紀行−プーケット紀行」を抽出し、ユーザに提示する。ユーザが「世界紀行−プーケット紀行」を選択した場合には、当該プログラムを実行する。
【０１３６】
図１９は編集プログラムにて「世界紀行−プーケット紀行」が選択された場合に作成される番組編集映像のイメージ図である。実施の形態１と同様であるため説明を省略する。
【０１３７】
図２０はここまでに説明した事前部分視聴サービスの全体構成を示した図である。事前部分視聴サービスを実現するための各処理と各処理に関するユーザ、番組予約録画装置、番組情報保持サーバ２１００、提供会社の動作概要を示している。実施の形態１と同様であるため説明を省略する。
【産業上の利用可能性】
【０１３８】
以上のように、本発明はＨＤＤレコーダ等を用いた録画番組の新たな部分視聴方法である。
【図面の簡単な説明】
【０１３９】
【図１】本発明の実施の形態１における事前部分視聴装置の機能ブロック図
【図２】番組情報保持部が保持している広告情報の一例を示す図
【図３】録画予約情報保持部が保持している録画予約情報の一例を示す図
【図４】番組予約録画装置における広告情報取得の処理を示すのフローチャート
【図５】番組情報保持サーバに通知される録画予約情報の一例を示す図
【図６】番組情報保持サーバにおける広告情報送出の処理を示すのフローチャート
【図７】番組情報保持サーバに通知される録画予約情報の一例を示す図
【図８】番組予約録画装置に送出される広告情報の一例を示す図
【図９】広告視聴情報保持部が保持している広告視聴情報の一例を示す図
【図１０】本発明で実現可能な広告視聴選択画面のサービスイメージの一例を示す画面の図
【図１１】番組予約録画装置における再生／編集プログラム取得の処理を示すフローチャート
【図１２】番組予約録画装置における再生／編集プログラム送出処理の処理を示すフローチャート
【図１３】番組情報保持部が保持している番組構成情報の一例を示す図
【図１４】番組情報保持部が保持している編集プログラム情報の一例を示す図
【図１５】番組情報保持サーバにおける再生プログラム作成処理のフローチャート
【図１６】番組情報保持サーバ通知される広告視聴履歴の一例を示した図
【図１７】番組保持部に保持されている録画番組のイメージを示した図
【図１８】再生プログラムを選択した場合の録画番組の再生イメージを示した図
【図１９】編集プログラムによって作成される番組編集映像のイメージ図
【図２０】事前部分視聴サービスの全体構成を示した図
【図２１】本発明の実施の形態２における事前部分視聴装置のブロック図
【図２２】番組予約端末から録画予約処理を行う場合の広告情報取得処理を示すフローチャート
【図２３】番組録画端末情報の一例を示す図
【図２４】番組録画端末から録画予約処理を行う場合の広告情報取得処理を示すフローチャート
【図２５】番組予約端末情報の一例を示す図
【図２６】番組情報保持サーバにおける広告情報送出処理を示すフローチャート
【図２７】番組情報保持サーバにおける再生／編集プログラム送出処理の流れを示すフローチャート
【符号の説明】
【０１４０】
１００    番組情報保持サーバ
１０１    予約情報受付部
１０２    広告情報送出部
１０３    番組情報保持部
１０４    再生／編集プログラム送出部
１０５    録画予約情報送出部
１０６    広告情報取得部
１０７    広告視聴履歴送出部
１０８    広告視聴情報保持部
１０９    広告閲覧部
１１０    録画予約情報保持部
１１１    外部機器通信部
１１２    再生／編集プログラム保持部
１１３    番組受信部
１１４    番組保持部
１１５    再生／編集部
１１６    番組予約録画装置
【図１】
2005191617.tif 000003
【図２】
2005191617.tif 000004
【図３】
2005191617.tif 000005
【図４】
2005191617.tif 000006
【図５】
2005191617.tif 000007
【図６】
2005191617.tif 000008
【図７】
2005191617.tif 000009
【図８】
2005191617.tif 000010
【図９】
2005191617.tif 000011
【図１０】
2005191617.tif 000012
【図１１】
2005191617.tif 000013
【図１２】
2005191617.tif 000014
【図１３】
2005191617.tif 000015
【図１４】
2005191617.tif 000016
【図１５】
2005191617.tif 000017
【図１６】
2005191617.tif 000018
【図１７】
2005191617.tif 000019
【図１８】
2005191617.tif 000020
【図１９】
2005191617.tif 000021
【図２０】
2005191617.tif 000022
【図２１】
2005191617.tif 000023
【図２２】
2005191617.tif 000024
【図２３】
2005191617.tif 000025
【図２４】
2005191617.tif 000026
【図２５】
2005191617.tif 000027
【図２６】
2005191617.tif 000028
【図２７】
2005191617.tif 000029